(57)【要約】【課題】視覚障害者および聴覚障害者が容易にボタン操作を行えるように改良されたエレベータの呼び操作盤を提供する。【解決手段】呼び操作盤の表面に設けられている複数の点字銘板１２ａ〜１２ｄおよび２１ｃ〜２８ｃのいずれかにエレベータ利用者が触れると、呼び操作盤の操作ボタン３１〜３８の配置を案内する案内放送が放送される。操作ボタン３１〜３８に隣接して案内手段４１〜４８を配設しているから、視覚障害に加えて聴覚障害をも有するエレベータ利用者であっても、案内手段４１〜４８の助けにより操作ボタン３１〜３８を容易に探し出して操作することができる。【選択図】　図１
2004115151.tif 000002
【特許請求の範囲】
【請求項１】
点字による案内表示をその表面に有した複数の点字銘板と、
前記点字銘板にエレベータ利用者が接触したことを検出する、前記点字銘板にそれぞれ設けられた接触検出手段と、
前記接触検出手段から得られた検出信号に基づいてエレベータ利用者がどの点字銘板に接触したかを識別する識別手段と、
前記識別手段により識別された点字銘板に対応する操作ボタンがその点字銘板に対してどの位置にあるかを案内放送する案内放送手段と、
を備えることを特徴とするエレベータの呼び操作盤。
【請求項２】
前記点字銘板は、前記操作ボタンを囲むように配設されることを特徴とする請求項１に記載したエレベータの呼び操作盤。
【請求項３】
前記操作ボタンの位置を案内する、前記操作ボタンに隣接して配設された案内手段と、
前記識別手段により識別された点字銘板が対応する操作ボタンに隣接する前記案内手段の作動を制御する制御手段と、
をさらに備えることを特徴とする請求項１または２に記載したエレベータの呼び操作盤。
【請求項４】
前記案内手段は、前記操作ボタンに隣接して開口する噴出口から空気噴流を噴出させる送風機であることを特徴とする請求項３に記載したエレベータの呼び操作盤。
【請求項５】
前記案内手段は、前記操作ボタンに隣接して配設された振動体であることを特徴とする請求項３に記載したエレベータの呼び操作盤。
【請求項６】
前記案内手段は、前記操作ボタンに隣接して配設された発熱体であることを特徴とする請求項３に記載したエレベータの呼び操作盤。
【請求項７】
前記案内手段は、前記操作ボタンに隣接して配設された赤外線発光ダイオードであることを特徴とする請求項３に記載したエレベータの呼び操作盤。
【請求項８】
前記案内手段は、前記操作ボタンに向かって連続的に変位する表面を有した被駆動部材であることを特徴とする請求項３に記載したエレベータの呼び操作盤。
【請求項９】
前記点字銘板は、前記操作ボタンに向かって傾斜する斜面上に配設されることを特徴とする請求項１乃至８のいずれかに記載したエレベータの呼び操作盤。
【請求項１０】
前記操作ボタンは、呼び操作盤の表面に凹設された収納凹部の底面上に配設され、
かつ前記斜面は、前記収納凹部の底面に連設されている、
ことを特徴とする請求項９に記載したエレベータの呼び操作盤。
【発明の詳細な説明】
【０００１】
【発明の属する技術分野】
本発明は、エレベータの呼び操作盤に関し、より詳しくは、視覚障害者および聴覚障害者が容易にボタン操作を行えるように改良された呼び操作盤に関する。
【０００２】
【従来の技術】
従来、エレベータの乗りかごおよび乗り場にはそれぞれ呼び操作盤が設けられており、この呼び操作盤の操作ボタンを利用者が押すことにより呼び登録が行われてエレベータの運行が制御されるようになっている。
【０００３】
呼び操作盤の表面には、視覚障害者によるエレベータの利用を容易なものとするために、点字による案内表示が設けられている。
例えば、図９に示したように、乗り場に設けられる呼び操作盤１には上方の階床に向かうための操作ボタン２ａと下方の階床に向かうための操作ボタン２ｂとが設けられているが、これらの操作ボタン２ａ，２ｂの近傍には点字による案内表示３ａ〜３ｃがそれぞれ設けられている。
同様に、図１０に示したように、乗りかご内に設けられる呼び操作盤４には行先の階床を指定するための操作ボタン５とドア開閉用の操作ボタン６ａ，６ｂが設けられているが、これらの操作ボタン５，６ａ，６ｂの近傍には点字による案内表示７ａ，７ｂがそれぞれ設けられている。
これにより、視覚障害者は、呼び操作盤に設けられている各操作ボタンの内容を理解しつつボタン操作を行うことができる。
【０００４】
【発明が解決しようとする課題】
エレベータの呼び操作盤に点字による案内表示を設けることについては、日本エレベータ協会標準集（ＪＥＡＳ−５１５Ｂ：視覚障害者兼用エレベータに関する標準）に規定されている。
ところが、点字による案内表示を操作ボタンに対してどの位置に設けるかについては具体的に規定されていない。
【０００５】
これにより、エレベータの呼び操作盤には、図９および図１０に示したように点字による案内表示を各操作ボタンの下方に設けたものに加えて、図１１に示したように操作ボタンの側方に設けたものや、図１２に示したように操作ボタンの上方に設けたもの等が混在している。
したがって、視覚障害者がエレベータの呼び操作盤をボタン操作する際には、点字による案内表示の内容を理解した後に、その案内表示に対応する操作ボタンがどこにあるのかを手探りで探し出さなければならなかった。
【０００６】
また、乗りかご内の呼び操作盤には多数の操作ボタンが設けられているが、これらの操作ボタンが全体的にどのように配列されているかについては、個々の点字による案内表示から把握することが極めて困難である。
さらに、点字による案内表示を見出すために呼び操作盤に振れている間に、誤って操作ボタンを操作してしまい、所望の行き先とは異なる呼び登録が行われることもあった。
【０００７】
そこで本発明の目的は、上述した従来技術が有する問題点を解消し、視覚障害者および聴覚障害者が容易にボタン操作を行えるように改良されたエレベータの呼び操作盤を提供することにある。
【０００８】
【課題を解決するための手段】
上記の課題を解決する請求項１に記載したエレベータの呼び操作盤は、
点字による案内表示をその表面に有した複数の点字銘板と、
前記点字銘板にエレベータ利用者が接触したことを検出する、前記点字銘板にそれぞれ設けられた接触検出手段と、
前記接触検出手段から得られた検出信号に基づいてエレベータ利用者がどの点字銘板に接触したかを識別する識別手段と、
前記識別手段により識別された点字銘板に対応する操作ボタンがその点字銘板に対してどの位置にあるかを案内放送する案内放送手段と、
を備えることを特徴とする。
【０００９】
すなわち、請求項１に記載したエレベータの呼び操作盤においては、呼び操作盤の表面に設けられている複数の点字銘板（点字による案内表示）のいずれかに視覚障害者が触れると、触れた点字銘板に対応する案内放送が放送される。
これにより、呼び操作盤の操作ボタンが全体的にどのように配列されているかについて、また触れている点字銘板に対応する操作ボタンがその点字銘板に対してどの位置にあるか等を案内放送により知ることができるから、操作したいボタンを容易に探し出すことができる。
【００１０】
請求項２に記載したエレベータの呼び操作盤においては、点字銘板が操作ボタンを囲むように配設される。
これにより、視覚障害者が乗りかごや乗り場の壁面に触れながら呼び操作盤を探し出す際には、まず最初に呼び操作盤上の点字銘板に触れることになるから、目的外の操作ボタンを誤って押してしまうことを防止できる。
【００１１】
請求項３に記載したエレベータの呼び操作盤は、前記操作ボタンの位置を案内する、前記操作ボタンに隣接して配設された案内手段と、前記識別手段により識別された点字銘板が対応する操作ボタンに隣接する案内手段の作動を制御する制御手段とをさらに備える。
案内手段は、操作ボタンに隣接して開口する噴出口から空気噴流を噴出させる送風機や、操作ボタンに隣接して配設された振動体、操作ボタンに隣接して配設された発熱体、および操作ボタンに隣接して配設された赤外線発光ダイオード、操作ボタンに向かって連続的に変位する部材表面を有した被駆動部材とすることができる。
これにより、点字銘板に触れている視覚障害者の指先を、その点字銘板に対応する操作ボタンに向かって確実に案内することができる。
また、視覚障害に加えて聴覚障害をも有するエレベータ利用者は、放送案内を聴くことができないが、案内手段の助けにより操作ボタンを探し出すことができる。
なお、空気噴流若しくは赤外線を用いて視覚障害者の指先を案内する場合は、視覚障害者が呼び操作盤の表面に常に触れている必要がないから、視覚障害者が目的外の操作ボタンを誤って操作してしまうことを確実に防止できる。
【００１２】
請求項９に記載したエレベータの呼び操作盤においては、点字銘板が操作ボタンに向かって傾斜する斜面上に配設される。
これにより、点字銘板に触れている視覚障害者の指先を、斜面の傾斜に沿わせて、その点字銘板に対応する操作ボタンに向かって案内することができる。
なお、呼び操作盤の表面に凹設した収納凹部の底面上に操作ボタンを配設するとともに、点字銘板を配設する斜面がこの収納凹部の底面に連なるように配設すれば、収納凹部の縦壁面と斜面とによって視覚障害者の指先を操作ボタンに向かって確実に案内することができる。
【００１３】
【発明の実施の形態】
以下、図１乃至図８を参照し、本発明に係るエレベータの呼び操作盤の各実施形態について詳細に説明する。なお、以下の説明においては、同一の部分には同一の符号を用いてその説明を省略する。
【００１４】
第１実施形態
まず最初に図１および図２を参照し、第１実施形態のエレベータの呼び操作盤について詳細に説明する。
【００１５】
図１に示した第１実施形態のエレベータの呼び操作盤１００は、エレベータの乗りかごの内壁面に装着されるもので、その基板１０の上部に設けられた表示部１１には停止中若しくは通過中の階床を表す数字と昇降方向を表す矢印とが表示される。
また、表示部１１のすぐ下側と基板１０の最下端部には、次述する操作ボタン３１〜３８の配置を案内するための点字銘板１２ａ〜１２ｄが配設されている。
さらに、基板１０の中央部には、行先階を指定（呼び登録）するための階床指定ボタン３１〜３６およびドアを開閉するためのドア開閉ボタン３７，３８をそれぞれ収納するための収納凹部２１〜２８がそれぞれ配設されている。
【００１６】
操作ボタン３１〜３８に関連する構造はすべて同一であるから、図２を参照して「１階」を指定するための操作ボタン３１について説明する。
図２に示したように、操作ボタン３１が配設されている収納凹部２１の底面２１ａからは、基板１０の左側の側縁に向かって傾斜して延びる傾斜面２１ｂが一体に連設されている。
そして、この傾斜面２１ｂ上には、操作ボタン３１が「１階」を指定するための操作ボタンであることを点字で表す点字銘板２１ｃが配設されている。
点字銘板２１ｃは、エレベータ利用者が指先で触れたことを検出可能な静電スイッチとして構成されるとともに、エレベータ利用者がどの点字銘板に触れているかを識別するための識別手段５１に接続されている。
【００１７】
なお、各操作ボタン３１〜３８の配置を案内するための点字銘板１２ａ〜１２ｃもまた、エレベータ利用者が指先で触れたことを検出可能な静電スイッチとして構成され、かつ識別手段５１に接続されている。
【００１８】
識別手段５１は、接続されている点字銘板２１ｃ〜２８ｃおよび点字銘板１２ａ〜１２ｃのうち、どの点字銘板にエレベータ利用者が触れているかを識別し、放送案内制御手段５２に識別信号を送信する。
放送案内制御手段５２は、各点字銘板に対応する放送案内の内容を記憶しており、かつ識別手段５１から送信された識別信号に対応する放送案内を放送案内手段５３に出力してエレベータ利用者に対する放送案内を行う。
【００１９】
一方、図２に示したように、収納凹部２１の底面２１ａ若しくは傾斜面２１ｂのうち点字銘板２１ｃと操作ボタン３１との間の部分には、空気噴流を噴出するパイプ５４の先端開口５４ａが開口している。
パイプ５４の基端は、送風制御手段５４によってその作動が制御される送風機５５に接続されている。
送風機制御手段５４は識別手段５１に接続されており、識別手段５１から識別信号を受信すると送風機５５を作動させ、図２中に矢印で示したようにパイプ５４の先端開口５４ａから空気噴流を噴出させる。
すなわち、パイプ５４、先端開口５４ａ、送風機５５、送風制御手段５６が案内手段を構成している。
【００２０】
次に、上述した構造を有する第１実施形態のエレベータの呼び操作盤１００の作用効果について説明する。
【００２１】
本第１実施形態のエレベータの呼び操作盤１００においては、全ての操作ボタン３１〜３８が複数の点字銘板１２ａ〜１２ｃおよび２１ｃ〜２８ｃによって囲まれている。
これにより、視覚障害者が乗りかごや乗り場の壁面に触れながらこの呼び操作盤１００を探し出すときには、まず最初に呼び操作盤１００上の点字銘板１２ａ〜１２ｃおよび２１ｃ〜２８ｃに触れるから、目的外の操作ボタンを誤って押してしまうことを防止できる。
【００２２】
また、本第１実施形態のエレベータの呼び操作盤１００においては、操作ボタン３１〜３８に対応する点字銘板２１ｃ〜２８ｃが、これらの操作ボタン３１〜３８に向かって傾斜する傾斜面（２１ｂ等）上に配設されている。
これにより、点字銘板２１ｃ〜２８ｃに触れている視覚障害者の指先を、この傾斜面の傾斜に沿わせてその点字銘板に対応する操作ボタン３１〜３８に向かって案内することができる。
【００２３】
また、本第１実施形態のエレベータの呼び操作盤１００においては、操作ボタン３１〜３８が、それぞれ呼び操作盤１００の表面に配設された収納凹部２１〜２８の底面上に配設されている。
これにより、視覚障害者が乗りかごや乗り場の壁面に触れながらこの呼び操作盤１００を探し出すときに、操作ボタン３１〜３８に触れて操作してしまうことを防止できる。
また、点字銘板２１ｃ〜２８ｃに触れている視覚障害者の指先を、収納凹部２１〜２８の傾斜面（２１ｂ等）と縦壁面（２１ｄ等）とによって操作ボタン３１〜３８に向かって確実に案内することができる。
【００２４】
また、本第１実施形態のエレベータの呼び操作盤１００においては、視覚障害者が触れている点字銘板に応じて異なった放送案内が行われる。
例えば、点字銘板１２ａに触れたときには「この部分の下側には１階，２階，３階を指定するためのボタンと、ドアを開くためのボタンが上から順に並んでいます。」との放送案内が行われる。
同様に、点字銘板１２ｄに触れたときには「この部分の上側には４階，５階，６階を指定するためのボタンと、ドアを閉じるためのボタンが上から順に並んでいます。」との放送案内が行われる。
これにより、視覚障害者は、この呼び操作盤１００においては各操作ボタンが全体的にどのように配置されているかを容易に知ることができる。
【００２５】
さらに、１階を指定するための操作ボタン３１に対応する点字銘板２１ｃに触れると「この部分の右側には１階を指定するための操作ボタンがあります。」との放送が行われる。
同様に、ドアを閉じるための操作ボタン３８に対応する点字銘板２８ｃに触れると「この部分の左側にはドアを閉じるための操作ボタンがあります。」との放送が行われる。
これにより、視覚障害者は、各操作ボタンの内容および位置を容易に知ることができる。
【００２６】
加えて、本第１実施形態のエレベータの呼び操作盤１００においては、点字銘板２１ｃ〜２８ｃと操作ボタン３１〜３８との間に、視覚障害者の指先を操作ボタン３１〜３８に向かって案内するための案内手段４１〜４８がそれぞれ設けられている。
そして、送風制御手段５６は、エレベータ利用者の指先が点字銘板２１ｃに触れていることを表す識別信号が識別手段５１から得ると、送風機５５を作動させてパイプ５４の先端開口５４ａから空気噴流を噴射させる。
これにより、視覚障害に加えて聴覚障害をも有するエレベータ利用者であっても、空気噴流を感じ取って操作ボタン３１がある方向を認識できるから、その指先を点字銘板２１ｃから操作ボタン３１へと確実に向かわせることができる。
【００２７】
第２実施形態
次に図３を参照し、第２実施形態のエレベータの呼び操作盤について詳細に説明する。
【００２８】
図３に示した第２実施形態のエレベータの呼び操作盤１１０は、上述した第１実施形態における案内手段４１〜４８の構成のみを変更したものである。
すなわち、本第２実施形態においては、点字銘板２１ｃ〜２８ｃと操作ボタン３１〜３８の間に配設される案内手段４１〜４８が、振動体５７と、この振動体５７に内蔵されている電磁コイルに対する通電を制御する、識別手段５１に接続された振動体制御手段５８とから構成されている。
そして、振動体５７の振動部分５７ａは、収納凹部２１の底面２１ａ若しくは傾斜面２１ｂのうち点字銘板２１ｃと操作ボタン３１との間の部分に露出している。
【００２９】
振動体制御手段５８は、エレベータ利用者の指先が操作ボタン３１に対応する点字銘板２１ｃに触れていることを表す識別信号が識別手段５１から得られると、振動体５７を作動させて振動部分５７ａを振動させる。
すると、視覚障害に加えて聴覚障害をも有するエレベータ利用者は、振動体５７の振動を感じ取って操作ボタン３１がある方向を認識できるから、その指先を点字銘板２１ｃから操作ボタン３１へと確実に向かわせることができる。
【００３０】
第３実施形態
次に図４を参照し、第３実施形態のエレベータの呼び操作盤について詳細に説明する。
【００３１】
図４に示した第３実施形態のエレベータの呼び操作盤１２０は、上述した第１実施形態における案内手段４１〜４８の構成のみを変更したものである。
すなわち、本第３実施形態においては、点字銘板２１ｃ〜２８ｃと操作ボタン３１〜３８の間に配設される案内手段４１〜４８が、発熱体５９と、この発熱体５９に内蔵されている電気コイルに対する通電を制御する、識別手段５１に接続された発熱体制御手段６０とから構成されている。
そして、発熱体５９の先端５９ａは、収納凹部２１の底面２１ａ若しくは傾斜面２１ｂのうち点字銘板２１ｃと操作ボタン３１との間の部分に露出している。
【００３２】
発熱体制御手段６０は、エレベータ利用者の指先が操作ボタン３１に対応する点字銘板２１ｃに触れていることを表す識別信号が識別手段５１から得られると、発熱体５９の電気コイルに通電して発熱体５９を加熱する。
すると、視覚障害に加えて聴覚障害をも有するエレベータ利用者は、発熱体５９の発熱を感じ取って操作ボタン３１がある方向を認識できるから、その指先を点字銘板２１ｃから操作ボタン３１へと確実に向かわせることができる。
【００３３】
第４実施形態
次に図５および図６を参照し、第４実施形態のエレベータの呼び操作盤について詳細に説明する。
【００３４】
図５および図６に示した第４実施形態のエレベータの呼び操作盤２００においては、点字銘板２１ｃ〜２８ｃおよび操作ボタン３１〜３８が、基板１０の表面と面一に配設されている。
また、視覚障害に加えて聴覚障害をも有するエレベータ利用者の指先を点字銘板２１ｃ〜２８ｃから操作ボタン３１〜３８へと案内する案内手段が、それぞれ赤外線発光体６１〜６８により構成されている。
【００３５】
赤外線発光体６１〜６８は、操作ボタン３１〜３８を囲むように配設され、かつその表面には複数の赤外線発光ダイオード６１ａが等間隔に並設されている。そして、これらの赤外線発光ダイオード６１ａは、識別手段５１に接続された赤外線発光体制御手段６９によってその点滅が制御されている。
【００３６】
赤外線発光体制御手段６９は、エレベータ利用者の指先が操作ボタン３１に対応する点字銘板２１ｃに触れていることを表す識別信号が識別手段５１から得られると、赤外線発光ダイオード６１ａを連続的に点灯させる。
すると、視覚障害に加えて聴覚障害をも有するエレベータ利用者は、図６中に矢印で示したように赤外線発光ダイオード６１ａから放射される赤外線を熱として感じ取って操作ボタン３１の位置を認識できるから、その指先を点字銘板２１ｃから操作ボタン３１へと確実に向かわせることができる。
このとき、エレベータ利用者は基板１０の表面から指先を離しても赤外線発光ダイオード６１ａから放射される赤外線を熱として感じ取ることができるから、操作ボタン３１の位置を確実に認識することができる。
【００３７】
エレベータ利用者が点字銘板１２ａ〜１２ｄに触れたときには、赤外線発光体６１〜６８を点滅させることにより、操作ボタン３１〜３８の配置を案内することができる。
例えば、点字銘板１２ａに触れたときには、１階，２階，３階を指定するための操作ボタン３１〜３３の周囲に配設されている赤外線発光体６１〜６３と、ドアを開くための操作ボタン３７の周囲に配設されている赤外線発光体６７とを点滅させる。
なお、赤外線発光体６１〜６８が放射する赤外線を目に見えない波長とすれば、健常者の視覚を妨げることがなく、かつ呼び操作盤２００の意匠性を高めることができる。
【００３８】
第５実施形態
次に図７を参照し、第５実施形態のエレベータの呼び操作盤について詳細に説明する。
【００３９】
図７に示した第５実施形態のエレベータの呼び操作盤３００においては、エレベータ利用者の指先を点字銘板２１ｃ〜２８ｃから操作ボタン３１〜３８へと案内する案内手段が、駆動モータ７０により回転駆動される平歯車状の被駆動体７１から構成されている。
被駆動体７１の外周面は、点字銘板２１ｃと操作ボタン３１との間において基板１０の表面１０ａに露出している。
また、駆動モータ７０の作動を制御する駆動モータ制御手段７２は、識別手段５１に接続されている。
【００４０】
駆動モータ制御手段７２は、エレベータ利用者の指先が操作ボタン３１に対応する点字銘板２１ｃに触れていることを表す識別信号が識別手段５１から得られると、駆動モータ７０を作動させて被駆動体７１を回転させる。
すると、視覚障害に加えて聴覚障害をも有するエレベータ利用者は、その振動を感じ取るとともに、その指先を被駆動体７１の外周面７１ａに載せることにより、その指先を点字銘板２１ｃから操作ボタン３１へと確実に向かわせることができる。
【００４１】
第６実施形態
次に図８を参照し、第６実施形態のエレベータの呼び操作盤について詳細に説明する。
【００４２】
図７に示した第６実施形態のエレベータの呼び操作盤３１０においては、一対のローラ７３，７４間に巻回されたベルト７５が被駆動体となっており、その外周面が点字銘板２１ｃと操作ボタン３１との間において基板１０の表面１０ａに露出している。
また、駆動モータ７６の出力プーリ７７と一方のローラ７４と一体に回転するプーリ７８との間には駆動ベルト７９が巻回されている。
さらに、駆動モータ７６の作動を制御する駆動モータ制御手段７２は、識別手段５１に接続されている。
【００４３】
駆動モータ制御手段７２は、エレベータ利用者の指先が操作ボタン３１に対応する点字銘板２１ｃに触れていることを表す識別信号が識別手段５１から得られると、駆動モータ７６を作動させて被駆動体７５を作動させる。
すると、視覚障害に加えて聴覚障害をも有するエレベータ利用者は、その振動を感じ取るとともに、その指先を被駆動体７５の外周面に載せることにより、その指先を点字銘板２１ｃから操作ボタン３１へと向かわせることができる。
【００４４】
以上、本発明に係るエレベータの呼び操作盤の各実施形態ついて詳しく説明したが、本発明は上述した実施形態によって限定されるものではなく、種々の変更が可能であることは言うまでもない。
例えば、上述した実施形態はいずれもエレベータの乗りかごに設けられる呼び操作盤について説明しているが、エレベータの乗り場に設ける呼び操作盤にも本発明を適用できることは言うまでもない。
【００４５】
【発明の効果】
以上の説明から明らかなように、本発明に係るエレベータの呼び操作盤においては、呼び操作盤の表面に設けられている複数の点字銘板のいずれかにエレベータ利用者が触れると、触れた点字銘板の案内表示に対応する案内放送が放送される。
これにより、呼び操作盤の操作ボタンが全体的にどのように配列されているかについて、また触れている点字銘板に対応する操作ボタンがその点字銘板に対してどの位置にあるか等を案内放送により知ることができるから、操作したいボタンがどこにあるのかを容易に探し出して操作することができる。
また、本発明に係るエレベータの呼び操作盤においては、操作ボタンに隣接して案内手段を配設しているから、視覚障害に加えて聴覚障害をも有するエレベータ利用者であっても、案内手段の助けにより操作ボタンを容易に探し出して操作することができる。
【図面の簡単な説明】
【図１】第１実施形態のエレベータの呼び操作盤を示す正面図。
【図２】図１中のＩＩ−破断線に沿った水平断面図と共に示すブロック図。
【図３】第２実施形態のエレベータの呼び操作盤を水平断面図と共に示すブロック図。
【図４】第３実施形態のエレベータの呼び操作盤を水平断面図と共に示すブロック図。
【図５】第４実施形態のエレベータの呼び操作盤を示す正面図。
【図６】図１中のＶＩ−破断線に沿った水平断面図と共に示すブロック図。
【図７】第５実施形態のエレベータの呼び操作盤を水平断面図と共に示すブロック図。
【図８】第６実施形態のエレベータの呼び操作盤を水平断面図と共に示すブロック図。
【図９】従来のエレベータの呼び操作盤を示す正面図。
【図１０】従来のエレベータの呼び操作盤を示す正面図。
【図１１】従来のエレベータの呼び操作盤を示す正面図。
【図１２】従来のエレベータの呼び操作盤を示す正面図。
【符号の説明】
１，４，８　従来の呼び操作盤
２　昇降ボタン
３，７　点字銘板
５　階床ボタン
６　ドア開閉ボタン
１０　基板
１１　表示部
１２ａ〜１２ｄ　点字銘板
２１〜２６　収納凹部
２１ｃ〜２８ｃ　点字銘板
３１〜３６　階床ボタン
３７，３８　ドア開閉ボタン
４１〜４８　案内手段
５１　非接触点字銘板識別手段
５２　放送案内制御手段
５３　放送案内手段
５４　パイプ
５５　送風機
５６　送風制御手段
５７　振動体
５８　振動体制御手段
５９　発熱体
６０　発熱体制御手段
６１〜６８　赤外線発光体
６９　赤外線発光体制御手段
７０　駆動モータ
７１　被駆動体
７２　駆動モータ制御手段
７５　被駆動体
７６　駆動モータ
１００　第１実施形態の呼び操作盤
１１０　第２実施形態の呼び操作盤
１２０　第３実施形態の呼び操作盤
２００　第４実施形態の呼び操作盤
３００　第５実施形態の呼び操作盤
３１０　第６実施形態の呼び操作盤
【図１】
2004115151.tif 000003
【図２】
2004115151.tif 000004
【図３】
2004115151.tif 000005
【図４】
2004115151.tif 000006
【図５】
2004115151.tif 000007
【図６】
2004115151.tif 000008
【図７】
2004115151.tif 000009
【図８】
2004115151.tif 000010
【図９】
2004115151.tif 000011
【図１０】
2004115151.tif 000012
【図１１】
2004115151.tif 000013
【図１２】
2004115151.tif 000014